(57)【要約】      （修正有）【課題】複数箇所に並んで発光し、かつ、消費電力を低くできる発光装置を提供する。【解決手段】光源となるＬＥＤ４０と、ＬＥＤ４０の光の照射を端部から受けるように設けられる細長い透明体からなり、長手方向に対して斜めの面からなる反射面が形成されるようなスリット孔３１，３２，３３が、長手方向に沿って２以上形成された光分岐体３０とから構成する。各反射面は、反射光の少なくとも一部が入射光に対して９０度の角度を有し、かつ、同方向となるようにすることが望ましい。【選択図】図２
0003188256.tif 000002
【実用新案登録請求の範囲】
【請求項１】
光源と、
前記光源の光の照射を端部から受けるように設けられる細長い透明体からなり、長手方向に対して斜めの面からなる反射面が形成されるような穴及び／又は切り欠き及びが、長手方向に沿って２以上形成された光分岐体と
を有する
発光装置。
【請求項２】
前記反射面の中に、反射光の少なくとも一部が入射光に対して９０度の角度を有し、かつ、同方向となる２以上の反射面が含まれるものである請求項１に記載の発光装置。
【請求項３】
前記反射面は端部から長手方向に見たときに位置がずれるよう配置されるものである請求項１又は２に記載の発光装置。
【請求項４】
前記反射面は光源から遠いものほど面積が大きくなるように形成される請求項１から３のいずれか１項に記載の発光装置。
【請求項５】
前記反射面の中に、反射光の少なくとも一部が一致する２以上の反射面が含まれるものである請求項１から４のいずれか１項に記載の発光装置。
【請求項６】
前記反射面の少なくとも一部は入射光と反射光が存する平面で切った断面が円弧状である請求項１から５のいずれか１項に記載の発光装置。
【請求項７】
前記穴は反射面に沿った微少間隔の隙間である請求項１から６のいずれか１項に記載の発光装置。
【考案の詳細な説明】
【技術分野】
【０００１】
本考案は、電気的に発光する発光装置に関し、特に、発光点が列状に並ぶものに関する。
【背景技術】
【０００２】
複数箇所直列に光るように形成されるライトや誘導灯などは、通常は光っているそれぞれの位置に光源を配置することが一般的である。
特に、近年ＬＥＤは安価に入手できるので、ＬＥＤを用いたこのような構成を採用した発光装置が広く普及している。
【考案の概要】
【考案が解決しようとする課題】
【０００３】
しかしながら、このような発光装置は比較的安価に製造できるものの、各発光場所ごとに光源を有するので、消費電力が大きくなるという問題を有する。
本考案はこのような問題に鑑みて、複数箇所に並んで発光する発光装置において、消費電力を低くすることを課題とする。
【課題を解決するための手段】
【０００４】
上記課題を解決するために、次のような構成を有する。
請求項１に記載の考案は、光源と、前記光源の光の照射を端部から受けるように設けられる細長い透明体からなり、長手方向に対して斜めの面からなる反射面が形成されるような穴、及び／又は切り欠きが、長手方向に沿って２以上形成された光分岐体とを有する発光装置である。
請求項２に記載の考案は、前記発光装置において、前記反射面の中に、反射光の少なくとも一部が入射光に対して９０度の角度を有し、かつ、同方向となる２以上の反射面が含まれるものである。
請求項３に記載の考案は、前記発光装置において、前記反射面は端部から長手方向に見たときに位置がずれるよう配置されるものである。
請求項４に記載の考案は、前記発光装置において、前記反射面は光源から遠いものほど面積が大きくなるように形成されるものである。
請求項５に記載の考案は、前記発光装置において、前記反射面の中に、反射光の少なくとも一部が一致する２以上の反射面が含まれるものである。
請求項６に記載の考案は、前記発光装置において、前記反射面の少なくとも一部は入射光と反射光が存する平面で切った断面が円弧状となるものである。
請求項７に記載の考案は、前記発光装置において、前記穴を反射面に沿った微少間隔の隙間としたものである。
【考案の効果】
【０００５】
以上のような構成により、本考案は次のような効果を奏する。
請求項１に記載の考案は、光源から照射された光は透明体を通って各反射面で曲げられることで複数の位置で発光することとなる。即ち、一箇所のみの光源で光分岐体の長手方向に沿った複数箇所で発光させることができるので、それぞれの発光位置に光源を設ける場合に比較して消費電力を低減させることができる。
請求項２に記載の考案は、同じ平面に複数の発光部分を並べることができるとともに、入射光を９０度反射させることで透明体から外部に至る距離が最短となるので発光効率を高くすることができる。
請求項３に記載の考案は、反射面の位置が互いにずれることで光源から反射面に直接到達する光量が大きくなるので各反射面における光量を大きくすることができる。
請求項４に記載の考案は、光量の減衰が大きい光源から遠い反射面ほど面積を大きくすることで各反射面における反射光の光量の差を低減することができる。
請求項５に記載の考案は、同一方向に反射する２以上の反射面を設けること、即ち、一つの反射面に対して補助的な反射面を追加することで、その位置における光量を増大させることができる。
請求項６に記載の考案は、反射面を円弧状とすることで光が拡散するので斜めから見ても光を視認できるようにすることができる。
請求項７に記載の考案は、穴を微少間隔の隙間とするとレーザー加工により簡易に形成できるので光分岐体を簡易に製作することができる。
【図面の簡単な説明】
【０００６】
【図１】実施形態に係る発光ドアハンドルを示す斜視図である。
【図２】実施形態に係る発光ドアハンドルの分解斜視図である。
【図３】光分岐体の側面図である。
【図４】（ａ）（ｂ）は光分岐体の他の例を示す側面図である。
【図５】（ａ）〜（ｄ）は光分岐体の切り欠きを用いた他の例を示す側面図である。
【考案を実施するための形態】
【０００７】
以下、本考案の実施の形態について、図面を参照しながら説明する。
図１に本実施形態に係る発光装置の一例として発光ドアハンドルＸの斜視図を示し、図２に発光ドアハンドルＸの分解斜視図を示す。発光ドアハンドルＸは、持ち手１０、固定脚部２０、光分岐体３０、ＬＥＤ４０を有する。
持ち手１０はドアハンドルの手で持つ棒状部分を構成するものであり、円筒体で直列に一定間隔に６つの孔からなる光透過孔１１が設けられている。また、持ち手１０内部には光分岐体３０を位置決めするために、光透過孔１１に対向する位置に細長い板体１２が固定されている。
固定脚部２０は、持ち手１０の両端にそれぞれ設けられる、持ち手１０の外周が嵌る内径を有する９０度に曲がったパイプ体であり、持ち手１０が嵌らない側の端部にネジ孔が設けられたフランジ２１が固定されている。
【０００８】
光分岐体３０は、持ち手１０の板体１２と板体１２に対向する持ち手１０内周面との間に嵌る大きさの長方形の断面形状を有し、持ち手１０とほぼ同じ長さを有する無色透明なアクリル製の棒体により形成される。図３に光分岐体３０の側面図を示す。光分岐体３０の一端側にはＬＥＤ４０が嵌る切り欠きであるＬＥＤ固定部３３が設けられており、ここから光が長手方向に向かって照射される。また、光分岐体３０には長手方向に対して４５度の角度を有する反射面を形成する微少な幅を有する穴であるスリット孔３１、３２がレーザー加工により形成されている。各スリット孔３１、３２は持ち手１０に光分岐体３０が挿入固定されたときに、持ち手１０の各光透過孔１１の位置と合致する位置に設けられる。スリット孔３１は図３において上縁に沿ってに並んで配置されるものであり、同じ大きさに形成される。スリット孔３２はスリット孔３１の下側に並んで配置されるものであり、ＬＥＤ固定部３３から長手方向に見たときに手前から奥に向かって下から上にずれるように配置されている。また、スリット孔３２はＬＥＤ固定部３３から離れるものほど反射面が広くなるように形成されている。
ＬＥＤ４０は一般的な砲弾型のＬＥＤであり、ＬＥＤの電線が一方の固定足部２０内を通って図示しないＬＥＤドライバに接続されることで電力を供給されるものである。
【０００９】
次に、以上のような構成を有する発光ドアハンドルＸの作用・効果について説明する。発光ドアハンドルＸは図示しないＬＥＤドライバをドア内部に内蔵した状態で、固定脚部２０のフランジ２１をドア板にネジで固定することで、ドアに固定される。この状態でＬＥＤ４０を発光させると、まず最初のスリット３１において、入射光は一部が反射面に反射して９０度曲がって持ち手１０の光透過孔１１を発光させ、一部は透過して次のスリット３１に至る。以下順次、スリット３１において一部の光は反射面で反射して持ち手１０の光透過孔１１を発光させ、一部の光は透過して奥へと進んでいく。スリット３１では手前のスリットほど反射する光の量は大きくなる。一方、最初のスリット３２でも一部の光が反射面で反射して光透過孔１１を発光させる。なお、反射光の一部はスリット３１の反射面に当たって、次のスリット３１に向かう。スリット３２は位置がずれているので光はほとんど減衰することなく、順次反射して対向する光透過孔１１を反射させる。スリット３２はＬＥＤ４０から離れるほど面積が大きいので、奥へいくほど反射する光の量は大きくなる。すなわち、スリット３１における反射光の光量の差を、スリット３２による反射光で調節することで、各光透過孔１１における光量の差を低減させることができ、視覚的に違いがわからない程度にすることができる。
このように、本実施形態に係る発光ドアハンドルＸは、一つのＬＥＤだけで複数箇所並んだ発光点をそれぞれ発光させることができるので、消費電力を少なくすることができる。
【００１０】
なお、上記実施形態で示した発光ドアハンドルＸは発光装置の一例であり、間隔を置いて発光するような発光装置であればどのようなものにも適用することができる。
また、光分岐体は上記実施形態では、スリット孔３１、３２の二列で形成しているが、一列のみでもよく、また、三列以上で形成してもよい。
さらに、上記実施形態では、図３における上方側のみに発光点が並ぶよう構成しているが、例えば図４（ａ）に示すように上方に向かう反射面を有するスリット孔３３の列と、下方に向かう反射面を有するスリット３４の列を組み合わせることで上方と下方の両方に発光点を並ぶようにすることができる。さらに、上方と下方のみならず、上方と側方や上下左右の４方向に発光点を並べたり、光分岐体の断面を円形として任意の外周方向に向かう発光点を設けたりすることができる。
【００１１】
また、上記実施形態では反射面は平らであるが、図４（ｂ）に示すスリット孔３５に示すように円弧状の反射面とすることもできる。このように円弧状とすることで反射光が広がるので、広い範囲で光を視認しやすくなる。なお、反射面は入射光に対して凹面でも凸面でも十分離れた位置であれば反射光は拡散するので、効果は変わらない。
そして、上記実施形態では反射面を形成するためにスリット孔を採用しているが、図５（ａ）に示すように、切り欠き３６により反射面を形成することができる。また、切り欠きにより反射面を形成する場合において、図５（ｂ）のように縁部に傾斜を設けて切り欠き３７を形成することで反射面の位置をずらすことも可能である。また、図５（ａ）（ｂ）に示す切り欠き３６、３７は光が向かう側の縁部に形成されているが、例えば図５（ｃ）（ｄ）示す切り欠き３８、３９のような形状とすると反対の縁部に形成することができる。
【００１２】
それから、上記実施形態では光源として砲弾型のＬＥＤを用いているが、チップ型のＬＥＤを用いてもよく、さらに、白熱電球や蛍光灯など他の種類の光源を用いてもよい。そして、光源の数も端部に設ければ足りるので、２以上設けてもよく、上下二方向等、複数方向に光を照射する場合は、両端部に光源を設けるようにしてもよい。
さらに、光分岐体の反射光が通る面以外の面は光が漏れないように鏡等によって反射面形成するようにしてもよい。また、反射面で囲うことで光が漏れないので、この場合は、光分岐体を曲がった形状とすることが可能である。
【符号の説明】
【００１３】
Ｘ  発光ドアハンドル
１０  持ち手
１１  光透過孔
２０  固定脚部
３０  光分岐体
３１、３２、３３、３４、３５  スリット孔
３６、３７、３８、３９  切り欠き
４０  ＬＥＤ
【図１】
0003188256.tif 000003
【図２】
0003188256.tif 000004
【図３】
0003188256.tif 000005
【図４】
0003188256.tif 000006
【図５】
0003188256.tif 000007
【手続補正書】
【提出日】平成25年11月6日(2013.11.6)
【手続補正１】
【補正対象書類名】実用新案登録請求の範囲
【補正対象項目名】全文
【補正方法】変更
【補正の内容】
【実用新案登録請求の範囲】
【請求項１】
光源と、
前記光源の光の照射を端部から受けるように設けられる細長い透明体からなり、長手方向に対して斜めの面からなる反射面が形成されるような穴及び／又は切り欠きが、長手方向に沿って２以上形成された光分岐体と
を有する
発光装置。
【請求項２】
前記反射面の中に、前記光源からの少なくとも一部の入射光を９０度の角度に反射させるような方向を向くように設けられ、当該反射させる方向が同方向となる２以上の反射面が含まれるものである請求項１に記載の発光装置。
【請求項３】
前記反射面は端部から長手方向に見たときに位置がずれるよう配置されるものである請求項１又は２に記載の発光装置。
【請求項４】
前記反射面は光源から遠いものほど面積が大きくなるように形成される請求項１から３のいずれか１項に記載の発光装置。
【請求項５】
前記反射面の中に、前記光源からの少なくとも一部の入射光を同一の角度に反射させるような方向を向くように設けられる２以上の反射面であって、当該反射させる光が重なる位置に設けられる２以上の反射面が含まれるものである請求項１から４のいずれか１項に記載の発光装置。
【請求項６】
前記反射面の少なくとも一部は入射光と反射光が存する平面で切った断面が円弧状である請求項１から５のいずれか１項に記載の発光装置。
【請求項７】
前記穴は反射面に沿った微小間隔の隙間である請求項１から６のいずれか１項に記載の発光装置。